(57)【要約】【課題】チューナ部で受信したテレビジョン放送をチューナ部から分離したディスプレイパネルで視聴することのできる機器構成において、ユーザの操作を必要とせずに無駄のないバックアップ録画機能を実現する。【解決手段】一体型から分離型に移行する際の物理的な変動をトリガーとして、チューナ部１０が自動録画をスタートさせる。これにより、チューナ部１０で受信したテレビジョン放送をリアルタイムで視聴している状態で、チューナ部１０とパネル部２０が一体型から分離型に移行する際の移行期間に於けるテレビジョン放送のコンテンツをチューナ部１０に搭載したＨＤＤに録画し再視聴できる。【選択図】    図２
2007067837.tif 000002
【特許請求の範囲】
【請求項１】
テレビジョン放送を受信する受信手段および前記受信手段により受信したテレビジョン放送のコンテンツを録画する録画手段を有する本体と、前記本体に一体化した状態若しくは前記本体から分離した状態で前記受信手段により受信したテレビジョン放送のコンテンツを出力可能なディスプレイパネルとを具備した電子機器であって、
前記本体に、
前記ディスプレイパネルが一体化した状態から分離した状態に変化したことを検知する検知手段と、
前記受信手段により受信したテレビジョン放送のコンテンツを出力している状態にあるとき前記検知手段の検知出力にもとづいて前記録画手段を起動する制御手段と
を具備したことを特徴とする電子機器。
【請求項２】
テレビジョン放送を受信する受信手段および前記受信手段により受信したテレビジョン放送のコンテンツを録画する録画手段を有する本体と、前記本体に一体化した状態、若しくは無線伝送手段を介し前記本体から分離した状態で前記受信手段により受信したテレビジョン放送のコンテンツを出力可能なディスプレイパネルとを具備した電子機器であって、
前記本体に、
前記受信手段により受信したテレビジョン放送のコンテンツを前記ディスプレイパネルが前記本体から分離した状態で出力しているとき、前記無線伝送手段の無線伝送状態を監視して無線伝送の異常を検知する無線監視手段を具備したことを特徴とする電子機器。
【請求項３】
テレビジョン放送を受信する受信手段を有する本体と、前記本体に一体化した状態、若しくは無線伝送手段を介し前記本体から分離した状態で前記受信手段により受信したテレビジョン放送のコンテンツを出力可能なディスプレイパネルとを具備した電子機器であって、
前記本体若しくは前記ディスプレイパネルに、
前記ディスプレイパネルが前記本体から分離したことを検知する検知手段と、
前記受信手段により受信したテレビジョン放送のコンテンツを出力している状態にあるとき、前記検知手段の検知出力にもとづいて、前記受信したテレビジョン放送のコンテンツを記録する記録手段と、
前記記録手段に記録したコンテンツを前記ディスプレイパネルに出力する制御手段と
を具備したことを特徴とする電子機器。
【請求項４】
前記ディスプレイパネルに、前記本体から分離した状態で設置が完了した旨を前記本体に通知する手段を具備し、
前記本体の前記制御手段に、前記ディスプレイパネルから前記通知を受けたとき前記録画手段の録画動作を停止させる手段を具備する請求項１または２記載の電子機器。
【請求項５】
前記本体および前記ディスプレイパネルに、無線ＬＡＮデバイスを用いた無線伝送手段を具備し、前記制御手段は、前記ディスプレイパネルが前記本体から分離されている状態にあるとき、前記無線伝送手段を介して、前記受信手段により受信したテレビジョン放送のコンテンツ若しくは前記録画手段により録画されたコンテンツの再生出力を前記ディスプレイパネルに伝送する処理手段を具備する請求項１記載の電子機器。
【請求項６】
前記本体および前記ディスプレイパネルに、光ケーブル若しくはメタルケーブルを用いた有線伝送手段を具備し、前記制御手段は、前記ディスプレイパネルが前記本体から分離され、かつ前記本体と前記ディスプレイパネルが前記有線伝送手段により接続されているとき、前記有線伝送手段により、前記受信手段が受信したテレビジョン放送のコンテンツ若しくは前記録画手段により録画されたコンテンツの再生出力を前記ディスプレイパネルに伝送し、前記ディスプレイパネルが前記本体から分離され、かつ前記本体と前記ディスプレイパネルが前記有線伝送手段により接続されていないとき、前記無線伝送手段により、前記受信手段が受信したテレビジョン放送のコンテンツ若しくは前記録画手段により録画されたコンテンツの再生出力を前記ディスプレイパネルに伝送する伝送制御手段を具備する請求項１または２記載の電子機器。
【請求項７】
前記無線監視手段が前記無線伝送の異常を検知したとき、前記録画手段を起動する制御手段をさらに具備したことを特徴とする請求項２記載の電子機器。
【請求項８】
前記本体と前記ディスプレイパネルが一体化した状態から分離した状態に移行したことを検知する状態検知手段を具備し、
前記制御手段は、前記状態検知手段の検知出力にもとづいて前記記録手段に記録したコンテンツを前記ディスプレイパネルに出力することを特徴とする請求項３記載の電子機器。
【請求項９】
テレビジョン放送を受信する受信手段および前記受信手段により受信したテレビジョン放送のコンテンツを録画する録画手段を有する本体と、前記本体に一体化した状態若しくは前記本体から分離した状態で前記受信手段により受信したテレビジョン放送のコンテンツを出力可能なディスプレイパネルとを具備したテレビジョンシステムのバックアップ録画制御方法に於いて、
前記ディスプレイパネルが一体化した状態から分離した状態に変化したことを検知する検知ステップと、
前記受信手段により受信したテレビジョン放送のコンテンツを出力している際に、前記検知ステップが前記ディスプレイパネルの分離状態を検知したとき前記録画手段を起動する制御ステップと
を具備したことを特徴とするテレビジョンシステムのバックアップ録画制御方法。
【請求項１０】
テレビジョン放送を受信する受信手段および前記受信手段により受信したテレビジョン放送のコンテンツを録画する録画手段を有する本体と、前記本体に一体化した状態、若しくは無線伝送手段を介し前記本体から分離した状態で前記受信手段により受信したテレビジョン放送のコンテンツを出力可能なディスプレイパネルとを具備したテレビジョンシステムのバックアップ録画制御方法に於いて、
前記受信手段により受信したテレビジョン放送のコンテンツを前記ディスプレイパネルが前記本体から分離した状態で出力しているとき、前記無線伝送手段の無線伝送状態を監視して無線伝送の異常を検知する検知ステップと
を具備したことを特徴とするテレビジョンシステムのバックアップ録画制御方法。
【請求項１１】
テレビジョン放送を受信する受信手段を有する本体と、前記本体に一体化した状態、若しくは無線伝送手段を介し前記本体から分離した状態で前記受信手段により受信したテレビジョン放送のコンテンツを出力可能なディスプレイパネルとを具備したテレビジョンシステムのバックアップ記録制御方法に於いて、
前記本体若しくは前記ディスプレイパネルに、
前記ディスプレイパネルが前記本体から分離したことを検知する検知ステップと、
前記受信手段により受信したテレビジョン放送のコンテンツを出力している状態にあるとき、前記検知ステップの検知出力にもとづいて、前記受信したテレビジョン放送のコンテンツを記録する記録ステップと、
前記記録ステップで記録したコンテンツを前記ディスプレイパネルに出力する制御ステップと
を具備したことを特徴とするテレビジョンシステムのバックアップ記録制御方法。
【請求項１２】
前記検知ステップが前記無線伝送の異常を検知したとき、前記録画手段を起動する制御ステップをさらに具備したことを特徴とする請求項１０記載のテレビジョンシステムのバックアップ録画制御方法。
【請求項１３】
前記制御ステップは、前記ディスプレイパネルが前記本体から分離した状態で設置された状態を検知するステップを有し、当該ステップの検知出力に基づいて前記記録ステップで記録したコンテンツを前記ディスプレイパネルに出力することを特徴とする請求項１１記載のテレビジョンシステムのバックアップ記録制御方法。
【発明の詳細な説明】
【技術分野】
【０００１】
本発明は、テレビジョン放送を受信する受信手段および受信したテレビジョン放送のコンテンツを録画する録画手段を有する本体に、ディスプレイパネルを一体化した状態若しくは本体から分離した状態で視聴可能な電子機器、テレビジョンシステムのバックアップ録画制御方法およびバックアップ記録制御方法に関する。
【背景技術】
【０００２】
テレビジョン放送の受信機能を備えた携帯端末機に於いて、受信感度が悪くなったとき、放送内容をバックアップするシステムが提案されている。このシステムは、テレビジョン放送の受信機能を備えたセットトップボックスをネットワークに接続しておき、携帯端末機の受信感度がある閾値を下回った際に、携帯端末機からネットワークを介してセットトップボックスに録画要求を行うことによって、放送内容をバックアップするシステムを構築している。
【特許文献１】特開２００４−１４０４６０号公報
【発明の開示】
【発明が解決しようとする課題】
【０００３】
テレビジョン放送の受信機能を実現するチューナ部とディスプレイパネルとを任意に一体／分離できる構成として、チューナ部で受信したテレビジョン放送をチューナ部から分離したディスプレイパネルで視聴することのできる機器構成が考えられる。このような機器構成の使用形態として、テレビジョン放送を視聴したままの状態でチューナ部からディスプレイパネルを分離し、ディスプレイパネルを任意の場所に移動させて視聴を継続する使用形態が考えられる。また、この際、チューナ部で受信したテレビジョン放送のコンテンツをケーブルを用いずに無線伝送手段を用いてディスプレイパネルに伝送する使用形態が考えられる。このような場合に於いても所定の条件下に於いて放送内容をバックアップする必要が生じる。
【０００４】
本発明は上記実情に鑑みなされたもので、チューナ部で受信したテレビジョン放送をチューナ部から分離したディスプレイパネルで視聴することのできる機器構成において、ユーザの操作を必要とせずに無駄のないバックアップ録画を可能にした電子機器およびテレビジョンシステムのバックアップ録画制御方法を提供することを目的とする。
【０００５】
また本発明は、チューナ部で受信したテレビジョン放送をチューナ部から分離したディスプレイパネルで視聴することのできる機器構成において、チューナ部とディスプレイパネルが一体化した状態から分離した状態に移行したとき、ユーザの操作を必要とせずに、移行後において移行中の期間を含んでチューナ部で受信したテレビジョン放送をディスプレイパネルで継続して視聴することのできる電子機器およびテレビジョンシステムのバックアップ記録制御方法を提供することを目的とする。
【課題を解決するための手段】
【０００６】
本発明は、テレビジョン放送を受信する受信手段および前記受信手段により受信したテレビジョン放送のコンテンツを録画する録画手段を有する本体と、前記本体に一体化した状態若しくは前記本体から分離した状態で前記受信手段により受信したテレビジョン放送のコンテンツを出力可能なディスプレイパネルとを具備した電子機器であって、前記本体に、前記ディスプレイパネルが一体化した状態から分離した状態に変化したことを検知する検知手段と、前記受信手段により受信したテレビジョン放送のコンテンツを出力している状態にあるとき前記検知手段の検知出力にもとづいて前記録画手段を起動する制御手段とを具備したことを特徴とする。
【０００７】
また本発明は、テレビジョン放送を受信する受信手段および前記受信手段により受信したテレビジョン放送のコンテンツを録画する録画手段を有する本体と、前記本体に一体化した状態、若しくは無線伝送手段を介し前記本体から分離した状態で前記受信手段により受信したテレビジョン放送のコンテンツを出力可能なディスプレイパネルとを具備した電子機器であって、前記本体に、前記受信手段により受信したテレビジョン放送のコンテンツを前記ディスプレイパネルが前記本体から分離した状態で出力しているとき、前記無線伝送手段の無線伝送状態を監視して無線伝送の異常を検知する無線監視手段を具備したことを特徴とする。
【０００８】
また本発明は、テレビジョン放送を受信する受信手段を有する本体と、前記本体に一体化した状態、若しくは無線伝送手段を介し前記本体から分離した状態で前記受信手段により受信したテレビジョン放送のコンテンツを出力可能なディスプレイパネルとを具備した電子機器であって、前記本体若しくは前記ディスプレイパネルに、前記ディスプレイパネルが前記本体から分離したことを検知する検知手段と、前記受信手段により受信したテレビジョン放送のコンテンツを出力している状態にあるとき、前記検知手段の検知出力にもとづいて、前記受信したテレビジョン放送のコンテンツを記録する記録手段と、前記記録手段に記録したコンテンツを前記ディスプレイパネルに出力する制御手段とを具備したことを特徴とする。
【０００９】
また本発明は、テレビジョン放送を受信する受信手段および前記受信手段により受信したテレビジョン放送のコンテンツを録画する録画手段を有する本体と、前記本体に一体化した状態若しくは前記本体から分離した状態で前記受信手段により受信したテレビジョン放送のコンテンツを出力可能なディスプレイパネルとを具備したテレビジョンシステムのバックアップ録画制御方法に於いて、前記ディスプレイパネルが一体化した状態から分離した状態に変化したことを検知する検知ステップと、前記受信手段により受信したテレビジョン放送のコンテンツを出力している際に、前記検知ステップが前記ディスプレイパネルの分離状態を検知したとき前記録画手段を起動する制御ステップとを具備したことを特徴とする。
【００１０】
また本発明は、テレビジョン放送を受信する受信手段および前記受信手段により受信したテレビジョン放送のコンテンツを録画する録画手段を有する本体と、前記本体に一体化した状態、若しくは無線伝送手段を介し前記本体から分離した状態で前記受信手段により受信したテレビジョン放送のコンテンツを出力可能なディスプレイパネルとを具備したテレビジョンシステムのバックアップ録画制御方法に於いて、前記受信手段により受信したテレビジョン放送のコンテンツを前記ディスプレイパネルが前記本体から分離した状態で出力しているとき、前記無線伝送手段の無線伝送状態を監視して無線伝送の異常を検知する検知ステップを具備したことを特徴とする。
【００１１】
また本発明は、テレビジョン放送を受信する受信手段を有する本体と、前記本体に一体化した状態、若しくは無線伝送手段を介し前記本体から分離した状態で前記受信手段により受信したテレビジョン放送のコンテンツを出力可能なディスプレイパネルとを具備したテレビジョンシステムのバックアップ記録制御方法に於いて、前記本体若しくは前記ディスプレイパネルに、前記ディスプレイパネルが前記本体から分離したことを検知する検知ステップと、前記受信手段により受信したテレビジョン放送のコンテンツを出力している状態にあるとき、前記検知ステップの検知出力にもとづいて、前記受信したテレビジョン放送のコンテンツを記録する記録ステップと、前記記録ステップで記録したコンテンツを前記ディスプレイパネルに出力する制御ステップとを具備したことを特徴とする。
【発明の効果】
【００１２】
チューナ部で受信したテレビジョン放送をチューナ部から分離したディスプレイパネルで視聴することのできる機器構成において、ユーザの操作を必要とせずに無駄のないバックアップ録画機能を実現できる。また、ディスプレイパネルをチューナ部から分離させて設置したとき、ユーザの操作を必要とせずに、設置後において設置期間を含んでチューナ部で受信したテレビジョン放送をディスプレイパネルで継続して視聴することができる。
【発明を実施するための最良の形態】
【００１３】
以下図面を参照して本発明の実施形態を説明する。  
本発明の第１、第２実施形態に係る機器の構成を図１乃至図３に示す。この図１乃至図３に示す実施形態では、テレビジョン放送を受信する受信手段およびこの受信手段により受信したテレビジョン放送のコンテンツを録画する録画手段を有する本体をチューナ部と称し、このチューナ部により受信したテレビジョン放送のコンテンツをチューナ部に一体化した状態若しくはチューナ部から分離した状態で視聴可能なディスプレイパネル（ディスプレイユニット）をパネル部と称している。
【００１４】
図１はチューナ部にパネル部が一体化された状態（一体型とした構成）、図２はチューナ部からパネル部が分離された状態（分離型とした構成）を示している。
【００１５】
チューナ部１０には、テレビジョン放送の受信手段となるＴＶ（テレビジョン）チューナ、テレビジョン放送のコンテンツ録画手段となるＨＤＤ（ハードディスク装置）等が設けられる。これらの構成要素については図３を参照して後述する。またチューナ部１０はテレビジョン放送を受信する受信アンテナ４０の接続端子を有するとともに、通信ケーブル５０の接続端子を有し、通信ケーブル５０を介してインターネット等の通信網に接続可能である。
【００１６】
チューナ部１０とパネル部２０の脱着機構を構成する構成要素として、チューナ部１０にはコネクタ部Ｃ１を有したパネル結合部１１が設けられ、パネル部２０にはコネクタ部Ｃ２を有したチューナ結合部２１が設けられる。
【００１７】
パネル結合部１１、およびチューナ結合部２１には、チューナ部１０にパネル部２０が一体化しているとき、チューナ部１０とパネル部２０を回路接続するコネクタ部Ｃ１，Ｃ２が設けられる。
【００１８】
パネル結合部１１にチューナ結合部２１が結合されることによって、チューナ部１０にパネル部２０が一体化し（チューナ部１０にパネル部２０が固定支持されて一体型となり）、コネクタ部Ｃ１，Ｃ２が相互に結合（嵌合）して、チューナ部１０とパネル部２０が回路接続される。パネル結合部１１とチューナ結合部２１との結合が解除されることによってチューナ部１０からパネル部２０が分離される（分離型となる）。この一体型／分離型の状態検出並びにその状態保持手段は、例えば上記コネクタ部Ｃ１，Ｃ２の結合が解除されたことを電気的または機械的に検出して、ハードウェアレベルで検出し、その状態をレジスタにラッチする構成、若しくはポーリング、割込み等によってソフトウェアレベルで通知し、その状態をレジスタに保持する構成等、いずれの構成であってもよい。後述する実施形態では、ポーリングにより通知する手段と、割込みにより通知する手段とを例にとって一連の処理手段を示している。
【００１９】
チューナ部１０と、パネル部２０には、チューナ部１０からパネル部２０が分離された分離型となっているときに、チューナ部１０とパネル部２０との間に無線伝送路を形成する無線ＬＡＮチップ（Ｗ−ＬＡＮ）１２，２２が設けられる。この無線ＬＡＮデバイスで形成される無線伝送路により、チューナ部１０で受信したテレビジョン放送のコンテンツをパネル部２０に伝送する無線伝送手段が実現される。ここでは、一体型でテレビジョン放送を受信している状態で、分離型に移行すると、チューナ部１０およびパネル部２０でそれぞれケーブル６０が接続されていないことを確認して、無線ＬＡＮチップ（Ｗ−ＬＡＮ）１２，２２が共に起動される。
【００２０】
また、チューナ部１０と、パネル部２０には、チューナ部１０からパネル部２０が分離された分離型となっているときに、チューナ部１０とパネル部２０との間に有線伝送路を形成するケーブル接続端子Ｃ１１，Ｃ１２が設けられる。このケーブル接続端子Ｃ１１，Ｃ１２にケーブル（光ケーブル若しくはメタルケーブル）６０を接続することによって、分離型となっているチューナ部１０とパネル部２０との間に有線伝送路が形成される。この有線伝送路により、チューナ部１０で受信したテレビジョン放送のコンテンツをパネル部２０に伝送する有線伝送手段が実現される。
【００２１】
パネル部２０には、チューナ部１０から分離した状態で所定時間、パネル部２０の動作を可能にする二次電池、および外部の交流電源をもとにパネル部２０の各部動作用電源並びに二次電池の充電用電源を生成する電源部が用意される。
【００２２】
また、パネル部２０には、チューナ部１０から外されたパネル部２０が任意の場所に移動されて設置が完了した状態（揺れが治まって静止した状態）を検知するためのセンサ（ＳＥＮ）２３が設けられる。このセンサ（ＳＥＮ）２３の検知信号にもとづいて、パネル部２０の任意位置への設置が完了した旨を、上記したケーブル６０を用いた有線伝送手段、若しくは無線ＬＡＮチップ（Ｗ−ＬＡＮ）１２，２２による無線伝送手段を介してチューナ部１０に通知することにより、チューナ部１０での録画を自動停止させることができる。
【００２３】
チューナ部１０には、テレビジョン放送の受信手段となるＴＶチューナと、テレビジョン放送のコンテンツ録画手段となるＨＤＤとがそれぞれ複数個搭載される。チューナ部１０には、図３に示すように、上記したパネル結合部１１、無線ＬＡＮチップ（Ｗ−ＬＡＮ）１２の他に、制御部１３と、複数のＴＶチューナ１４ａ，１４ｂ、およびＨＤＤ１５ａ，１５ｂが設けられる。
【００２４】
制御部３は、ＣＰＵ、主記憶、ＯＳ、録画アプリケーションを含む各種のアプリケーションプログラム、各種のドライバ等の構成要素を有して機器全体の制御を司るもので、ここではチューナ部１０とパネル部２０が一体型から分離型に移行する際および移行した後に於いてＯＳおよび録画アプリケーションのプログラム制御の下に後述する各種の処理を実行する。
【００２５】
ＴＶチューナ１４ａは、テレビジョン放送をリアルタイムで視聴する（自動録画も兼ねる）際に用いられ、ＴＶチューナ１４ｂは、予約録画用に用いられる。またＨＤＤ１５ａは、テレビジョン放送をリアルタイムで視聴している状態で、チューナ部１０とパネル部２０が分離型となった際に上記テレビジョン放送のコンテンツを録画する（自動録画する）録画手段として用いられ、ＨＤＤ１５ｂは予約録画用に用いられる。なお、ＨＤＤ１５ａとＨＤＤ１５ｂは１つのＨＤＤをパーティションを切ることで領域分割して実現することも可能である。
【００２６】
第１実施形態
本発明の第１実施形態では、上記した一体型から分離型に移行する際の（パネル部２０がチューナ部１０から分離する際の）物理的な変動をトリガーとして、チューナ部１０が自動録画をスタートさせる。これにより、ＴＶチューナ１４ａで受信したテレビジョン放送をリアルタイムで視聴している状態で、チューナ部１０とパネル部２０が一体型から分離型に移行する際の移行期間に於けるテレビジョン放送のコンテンツをＨＤＤ１５ａに録画して、後に再生し再視聴できる。
【００２７】
また、パネル部２０をチューナ部１０から分離する際に、チューナ部１０とパネル部２０を、ケーブル６０を用いて接続することで、分離後、ＴＶチューナ１４ａで受信したテレビジョン放送をケーブル６０を介してパネル部２０に伝送でき、ＴＶチューナ１４ａで受信したテレビジョン放送をリアルタイムで継続して視聴できる。またケーブル６０が接続されていないときは、その状態を検知して、無線ＬＡＮチップ（Ｗ−ＬＡＮ）１２，２２を起動することにより、分離後、ＴＶチューナ１４ａで受信したテレビジョン放送を無線伝送手段を介してパネル部２０に伝送でき、ＴＶチューナ１４ａで受信したテレビジョン放送をリアルタイムで継続して視聴できる。
【００２８】
さらに、この際、センサ（ＳＥＮ）２３の検知信号をもとに、パネル部２０の任意位置への設置が完了した旨を上記した有線伝送手段若しくは無線伝送手段を用いてチューナ部１０に通知することにより、上記したＨＤＤ１５ａへの録画を自動停止させることができる。
【００２９】
上記したチューナ部１０とパネル部２０が一体型から分離型へ移行する際の無線ＬＡＮの起動並びに録画開始の処理に係わる制御部１３の構成要素並びに処理の手順を図４乃至図７に示している。
【００３０】
この処理には、コネクタ部Ｃ１，Ｃ２の接続／非接続の状態を記録しているレジスタの値をポーリング（Ｐｏｌｌｉｎｇ）によって参照する処理手段、あるいは、チューナ部１０からパネル部２０が分離した際のコネクタ部Ｃ１の電圧変化若しくは機械的検知による割込みによって通知する処理手段等、いずれの処理手段に於いても実現可能である。
【００３１】
図４および図５は、チューナ部１０とパネル部２０が一体型から分離型へ移行する際の無線ＬＡＮの起動並びに録画開始の処理をポーリングによるレジスタの値をもとに実行開始する場合の各処理に係わる制御部１３の構成要素並びに処理の手順を示している。
【００３２】
チューナ部１０とパネル部２０が一体型となっている状態で機器電源がオン（パワーオン）されると、制御部１３に於いて、ＯＳ１３１が起動し（図５ステップＳ１１）、ＯＳ１３１の制御の下にコネクタ監視ドライバ制御部１３４、無線ＬＡＮドライバ１３５、ＴＶチューナ・ＨＤＤドライバ１３６を含む各種ドライバがインストールされ（図５ステップＳ１２）、コネクタ監視ドライバ制御部１３４が起動される（図５ステップＳ１３）とともに、チューナ部１０のＴＶチューナ１４ａを含む機能回路が起動され、一体型でのテレビジョン放送の視聴（受信および出力）が開始される（図５ステップＳ１４）。この状態下に於いて、コネクタ監視ドライバ制御部１３４に於けるポーリング処理により、コネクタ部Ｃ１，Ｃ２の接続／非接続の状態を記録しているレジスタ１３３の値が監視される（図４（１）、図５ステップＳ１５）。
【００３３】
上記起動後に於いて、ＴＶチューナ１４ａで受信したテレビジョン放送をリアルタイムで視聴している際に、パネル部２０がチューナ部１０から外されて分離型に移行すると、この一体型から分離型への移行に伴い、レジスタ１３３の値が一体型を示す値から分離型を示す値に変化する。このレジスタ１３３の値の変化がコネクタ監視ドライバ制御部１３４からＯＳ１３１に通知される（図４（２）、図５ステップＳ１６  ＹＥＳ）。
【００３４】
ＯＳ１３１は上記通知を受けると、無線ＬＡＮドライバ１３５を起動する（図４（３ａ）、図５ステップＳ１７ａ）とともに、録画アプリケーション１３２へ録画開始命令を発行する（図４（３ｂ）、図５ステップＳ１７ｂ）。
【００３５】
無線ＬＡＮドライバ１３５はＯＳ１３１により起動されると、無線ＬＡＮチップ（Ｗ−ＬＡＮ）１２を駆動し（図４（４ａ）、図５ステップＳ１８ａ）、ＴＶチューナ１４ａが受信したテレビジョン放送のコンテンツをパネル部２０に設けられた無線ＬＡＮチップ（Ｗ−ＬＡＮ）２２に送信する。
【００３６】
録画アプリケーション１３２はＯＳ１３１から録画開始命令を受けると、ＯＳ１３１およびＴＶチューナ・ＨＤＤドライバ１３６を介してＨＤＤ１５ａに録画指示を出し、ＴＶチューナ１４ａで受信しているテレビジョン放送のコンテンツをＨＤＤ１５ａに録画させる（図４（４ｂ）〜（６）、図５ステップＳ１８ｂ）。
【００３７】
上記したような処理により、チューナ部１０とパネル部２０が一体型から分離型に移行する際の物理的な変動をトリガーとして、チューナ部１０にて自動録画をスタートさせることができ、これにより、ＴＶチューナ１４ａで受信したテレビジョン放送をリアルタイムで視聴している状態で、チューナ部１０とパネル部２０が一体型から分離型に移行する際の移行期間に於けるテレビジョン放送のコンテンツをＨＤＤ１５ａに録画して、後に再生し再視聴できる。
【００３８】
また、パネル部２０をチューナ部１０から分離する際に、チューナ部１０とパネル部２０を、ケーブル６０を用いて接続することで、分離後、ＴＶチューナ１４ａで受信したテレビジョン放送をケーブル６０を介してパネル部２０に伝送でき、ＴＶチューナ１４ａで受信したテレビジョン放送をリアルタイムで継続して視聴できる。またケーブル６０が接続されていないときは、その状態を検知して、無線ＬＡＮチップ（Ｗ−ＬＡＮ）１２，２２を起動することにより、分離後、ＴＶチューナ１４ａで受信したテレビジョン放送を無線伝送手段を介してパネル部２０に伝送でき、ＴＶチューナ１４ａで受信したテレビジョン放送をリアルタイムで継続して視聴できる。
【００３９】
さらに、この際、センサ（ＳＥＮ）２３の検知信号をもとに、パネル部２０の任意位置への設置が完了した旨を上記した有線伝送手段若しくは無線伝送手段を用いてチューナ部１０に通知することにより、上記したＨＤＤ１５ａへの録画を自動停止させることができる。
【００４０】
図６および図７は、チューナ部１０とパネル部２０が一体型から分離型へ移行する際の無線ＬＡＮの起動並びに録画開始の処理を、チューナ部１０からパネル部２０が分離した際のコネクタ部Ｃ１の電圧変化若しくは機械的検知による割込みによって通知する手段によって実行開始する場合の各処理に係わる制御部１３の構成要素並びに処理の手順を示している。
【００４１】
チューナ部１０とパネル部２０が一体型となっている状態で機器電源がオン（パワーオン）されると、制御部１３に於いて、ＯＳ１３１が起動し（図７ステップＳ２１）、ＯＳ１３１の制御の下にコネクタ監視ドライバ制御部１３４、無線ＬＡＮドライバ１３５、ＴＶチューナ・ＨＤＤドライバ１３６を含む各種ドライバがインストールされる（図７ステップＳ２２）とともに、チューナ部１０のＴＶチューナ１４ａを含む機能回路が起動され、一体型でのテレビジョン放送の視聴（受信および出力）が開始される（図７ステップＳ２３）。
【００４２】
この一体化による受信状態下に於いて（ＴＶチューナ１４ａで受信したテレビジョン放送をリアルタイムで視聴している際に）、パネル部２０がチューナ部１０から外されて分離型に移行すると、この一体型から分離型への移行に伴い、ＣＰＵ１３０からコネクタ監視ドライバ制御部１３４に対して割込みが発生し、この割込みがＯＳ１３１に通知される（図６（１）〜（２）、図７ステップＳ２４  ＹＥＳ）。
【００４３】
ＯＳ１３１は上記通知を受けると、無線ＬＡＮドライバ１３５を起動する（図６（３ａ）、図７ステップＳ２５ａ）とともに、録画アプリケーション１３２へ録画開始命令を発行する（図６（３ｂ）、図７ステップＳ２５ｂ）。
【００４４】
無線ＬＡＮドライバ１３５はＯＳ１３１により起動されると、無線ＬＡＮチップ（Ｗ−ＬＡＮ）１２を駆動し（図６（４ａ）、図７ステップＳ２６ａ）、ＴＶチューナ１４ａが受信したテレビジョン放送のコンテンツをパネル部２０に設けられた無線ＬＡＮチップ（Ｗ−ＬＡＮ）２２に送信する。
【００４５】
録画アプリケーション１３２はＯＳ１３１から録画開始命令を受けると、ＯＳ１３１およびＴＶチューナ・ＨＤＤドライバ１３６を介してＨＤＤ１５ａに録画指示を出し、ＴＶチューナ１４ａで受信しているテレビジョン放送のコンテンツをＨＤＤ１５ａに録画させる（図６（４ｂ）〜（６）、図７ステップＳ２６ｂ）。
【００４６】
上記したような割込みによる処理に於いても前述したポーリングによる処理の場合と同様に、ＴＶチューナ１４ａで受信したテレビジョン放送をリアルタイムで視聴している状態で、チューナ部１０とパネル部２０が一体型から分離型に移行する際の移行期間に於けるテレビジョン放送のコンテンツをＨＤＤ１５ａに録画して、後に再生し再視聴できる。また、パネル部２０をチューナ部１０から分離する際に、チューナ部１０とパネル部２０を、ケーブル６０を用いて接続することで、分離後、ＴＶチューナ１４ａで受信したテレビジョン放送をケーブル６０を介してパネル部２０に伝送でき、ＴＶチューナ１４ａで受信したテレビジョン放送をリアルタイムで継続して視聴できる。またケーブル６０が接続されていないときは、その状態を検知して、無線ＬＡＮチップ（Ｗ−ＬＡＮ）１２，２２を起動することにより、分離後、ＴＶチューナ１４ａで受信したテレビジョン放送を無線伝送手段を介してパネル部２０に伝送でき、ＴＶチューナ１４ａで受信したテレビジョン放送をリアルタイムで継続して視聴できる。さらに、センサ（ＳＥＮ）２３の検知信号をもとに、パネル部２０の任意位置への設置が完了した旨を上記した有線伝送手段若しくは無線伝送手段を用いてチューナ部１０に通知することにより、上記したＨＤＤ１５ａへの録画を自動停止させることができる。
【００４７】
第２実施形態
本発明の第２実施形態では、分離型の形態で無線伝送手段を経由してテレビジョン放送を視聴している際に、突然、無線伝送手段の無線環境が悪化して品質のよい視聴が行えなくなった場合に、チューナ部１０が自動録画をスタートさせる。また、チューナ部１０で自動録画がスタートした際には、そのメッセージをパネル部２０の画面に表示する。録画中に無線環境が改善された際には録画を終了するか、または録画を続けるかをユーザに伝えるために、同様にそのメッセージをパネル部２０の画面に表示する。これにより、無線伝送手段の環境変動により十分な視聴ができなくなった場合にも、重要なシーンを自動録画することで、そのシーンを後に視聴することができる。
【００４８】
この第２実施形態の実現例として、ここでは、無線ＬＡＮチップ（Ｗ−ＬＡＮ）１２，２２で機能しているレートコントロール（無線伝送速度を無線環境に応じて最適に制御するための機能）のアルゴリズムと連動することにより、視聴している映像品質が低下した際に、無線環境が悪化したことを判断し、無線ＬＡＮドライバ１３５がＯＳ１３１を介し録画アプリケーション１３２に録画開始命令を送出することで自動録画を開始させる。
【００４９】
このレートコントロールアルゴリズムにおける自動録画予約機能の処理シーケンスの一例を図８および図９に示している。
【００５０】
図８にはチューナ部１０に於いて自動録画機能に関与している制御部１３の構成要素並びに処理の手順を示している。例えば、レートコントロールを無線ＬＡＮチップ（Ｗ−ＬＡＮ）１２，２２のファームウェアレベルで行っている場合には、無線ＬＡＮチップ１０３ａから無線ＬＡＮドライバに自動録画開始のメッセージが通知される（図８（１）参照）。その後、無線ＬＡＮドライバ１３５はＯＳ１３１を介して、録画アプリケーション１３２にその旨のメッセージを通知する（図８（２）〜（３）参照）。そして録画アプリケーション１３２はＯＳ１３１、ＴＶチューナ・ＨＤＤドライバ１３６へと録画命令を渡すことにより、録画を開始させる（図８（４）〜（６）参照）。
【００５１】
レートコントロールアルゴリズムにおける自動録画予約機能の処理手順を図９に示している。
【００５２】
レートコントロールでは無線環境を表すパラメータＲＳＳＩ、ＰＥＲなどの情報を収集し（図９ステップＳ３１，Ｓ３２）、その収集情報と仮定の送信レートに基づいて推定理論スループットを求め（図９ステップＳ３３）、その推定理論スループットを最大とするような送信レートを最適値として導き出している。
【００５３】
自動録画機能のアルゴリズムでは、視聴コンテンツの要求するＱｏＳパラメータ値と上記の推定理論スループットと、さらに推定理論ジッタなどを比較することにより自動録画をスタート（終了）するかどうかを判断する（図９ステップＳ３４〜Ｓ３６）。つまり、各無線パラメータの推定理論値が視聴コンテンツの要求するＱｏＳパラメータ値を満足していないと判断した場合（図９ステップＳ３６  ＮＯ）に、自動録画を開始する（図９ステップＳ３７）。なお、その後、各無線パラメータの推定理論値が視聴コンテンツの要求するＱｏＳパラメータ値を満足した場合に、上記録画をユーザ操作、若しくは自動的に停止させることも可能である（図９ステップＳ３６〜Ｓ３９）。
【００５４】
このような処理機能をもつことで、無線経由でテレビジョン放送を視聴している際に、無線環境が悪化して十分な動画品質での視聴ができなくなった場合でも、そのコンテンツをＨＤＤ１５ａに自動録画しておくことで、タイムスリップによる再視聴が可能となる。
【００５５】
また、チューナ部１０で自動録画がスタートした際には、そのメッセージをパネル部２０の画面に表示する。さらに録画中に無線環境が改善された際には録画を終了するか、または録画を続けるかをユーザに伝えるために、同様にそのメッセージをパネル部２０の画面に表示する。ここでは一例として、パネル部２０の画面に、図１０に示すような、自動録画開始（終了）メッセージ３０１、自動録画モードＯＮ／ＯＦＦ表示３０２、無線環境状態の表示３０３等を表示する。これにより、無線伝送手段の環境変動により十分な視聴ができなくなった場合にも、重要なシーンを自動録画することで、そのシーンを後に視聴することができる。
【００５６】
第３実施形態
本発明の第３実施形態では、チューナ部１０とパネル部２０が一体型から分離型に移行した際に、受信中のコンテンツをＨＤＤにバッファリングし、分離型に移行後、バッファリングしたコンテンツをパネル部２０に送出して、所謂、追っかけ再生を可能にしている。
【００５７】
この第３実施形態では、パネル部２０がチューナ部１０から分離された際に、分離中は無線でストリーミングをせず、制御部１３の制御の下に、ＴＶチューナ１４ａが受信したテレビジョン放送のコンテンツをＨＤＤ１５ａ若しくはＨＤＤ１５ｂにバッファリングする。このバッファリングに関しては、例えば図５に示すフローチャートのステップＳ１８ｂ、または図６に示すフローチャートのステップＳ２６ｂにおいて「録画開始」に代わり「バッファリング開始」を行うことで容易に実現される。そして分離移行後、例えば設置が完了した状態を検知するセンサ（ＳＥＮ）２３の検知信号をもとに、上記ＨＤＤにバッファリングしたコンテンツをパネル部２０で再生開始する。
【００５８】
これにより、例えばパネル部２０の移動中に重要なシーンがあった場合にも、そのコンテンツがＨＤＤにバッファリングされることから、確実にその内容を保護しておくことができ、チューナ１４ａが受信したテレビジョン放送のコンテンツを、チューナ部１０とパネル部２０が一体型から分離型に移行した後に、移行中のシーンを含め、継続して視聴できる。
【００５９】
なお、上記した第３実施形態では、チューナ部１０とパネル部２０が一体型から分離型に移行する際の移行中に、チューナ１４ａが受信したテレビジョン放送のコンテンツをチューナ部１０に設けたＨＤＤにバッファリングしているが、パネル部２０にＨＤＤ等の記録手段を設けて、一体型から分離型への移行検知をトリガーに、チューナ１４ａが受信したテレビジョン放送のコンテンツを有線若しくは無線による伝送手段を介してパネル部２０の記録手段に記録してゆく構成であってもよい。
【００６０】
また、上記した各実施形態の機能と、これら各機能から任意の機能を選択するＧＵＩを具備して、例えばパネル部２０のＧＵＩ画面上で上記各機能から任意の機能を選択する構成とすることも可能である。
【図面の簡単な説明】
【００６１】
【図１】本発明の第１、第２、第３実施形態に係る機器（一体型とした場合）の構成を示す図。
【図２】上記実施形態に係る機器（分離型とした場合）の構成を示す図。
【図３】上記実施形態に係るチューナ部（本体）１０の構成を示すブロック図。
【図４】本発明の第１実施形態に係る一体型から分離型へ移行する際の無線ＬＡＮの起動並びに録画開始の処理に係わるポーリングによる制御部１３の構成要素を示すブロック図。
【図５】本発明の第１実施形態に係る一体型から分離型へ移行する際の無線ＬＡＮの起動並びに録画開始の処理、および本発明の第３実施形態に係る一体型から分離型へ移行する際の無線ＬＡＮの起動並びにバッファリング開始の処理に係わるポーリングによる制御部１３の処理の手順を示すフローチャート。
【図６】本発明の第１実施形態に係る一体型から分離型へ移行する際の無線ＬＡＮの起動並びに録画開始の処理、および本発明の第３実施形態に係る一体型から分離型へ移行する際の無線ＬＡＮの起動並びにバッファリング開始の処理に係わる割込みによる制御部１３の構成要素を示すブロック図。
【図７】本発明の第１実施形態に係る一体型から分離型へ移行する際の無線ＬＡＮの起動並びに録画開始の処理に係わる割込みによる制御部１３の処理の手順を示すフローチャート。
【図８】本発明の第２実施形態に係る自動録画機能に関与している制御部の構成要素を示すブロック図。
【図９】本発明の第２実施形態に係る自動録画予約機能の処理手順を示すフローチャート。
【図１０】本発明の第２実施形態に係る自動録画時のＧＵＩ画面を示す図。
【符号の説明】
【００６２】
１０…チューナ部（本体）、１１…パネル結合部、１２，２２…無線ＬＡＮチップ（Ｗ−ＬＡＮ）、１３…制御部、１４ａ，１４ｂ…ＴＶチューナ、１５ａ，１５ｂ…ＨＤＤ、２０…パネル部（ディスプレイパネル）、２１…チューナ結合部、２３…センサ（ＳＥＮ）、４０…受信アンテナ、５０…通信ケーブル、６０…ケーブル、１３０…ＣＰＵ、１３１…ＯＳ、１３２…録画アプリケーション、１３３…レジスタ、１３４…コネクタ監視ドライバ制御部、１３５…無線ＬＡＮドライバ、１３６…ＴＶチューナ・ＨＤＤドライバ、Ｃ１，Ｃ２…コネクタ部、Ｃ１１，Ｃ１２…ケーブル接続端子。
【図１】
2007067837.tif 000003
【図２】
2007067837.tif 000004
【図３】
2007067837.tif 000005
【図４】
2007067837.tif 000006
【図５】
2007067837.tif 000007
【図６】
2007067837.tif 000008
【図７】
2007067837.tif 000009
【図８】
2007067837.tif 000010
【図９】
2007067837.tif 000011
【図１０】
2007067837.tif 000012